(57)【特許請求の範囲】
【請求項１】
正電極シート及び負電極シートの間にシート状をなすセパレータを挟んだ状態で層状の構造をなす電極体を容器に収容した蓄電装置であって、
前記正電極シートには、縁部から正電極リードが延出形成され、
前記負電極シートには、前記正電極シートにおいて前記正電極リードが延出形成されているのと同一側の縁部から負電極リードが延出形成され、
前記電極体には、
前記電極体の層方向に直交する端面である第１端面と、
前記第１端面とは反対側の端面である第２端面と、
前記第１端面及び前記第２端面の間の側面である電極側面部と、
前記正電極リードが積層された正極集電部と、
前記負電極リードが積層された負極集電部とが形成され、
前記容器は、
第１部材と第２部材とを有し、
前記第１部材は、少なくとも前記第１端面と対向する第１対向面と、前記正極集電部が電気的に接続される正電極端子と、前記負極集電部が電気的に接続される負電極端子と、を有し、
前記第１対向面は、前記第１端面と接着されておらず、
前記第２部材は、少なくとも前記第２端面と対向する第２対向面を有し、
前記第２対向面には、前記第２端面が接着される接着面が形成され、
前記第１部材と前記第２部材によって、前記電極体を収容する収容空間が形成されることを特徴とする蓄電装置。
【請求項２】
前記第１部材は、前記第１対向面の周縁部から前記第２部材側に突出して形成された側面部を有し、
前記側面部は、前記第１対向面側と反対側に、前記第２部材と接触する端面である対向端面を有し、
前記第１部材は、前記対向端面により開口部が形成され、
前記第２部材は、前記第２対向面を含みかつ前記開口部を覆う蓋部を有し、かつ少なくとも前記接着面が平面状に形成されることを特徴とする請求項１に記載の蓄電装置。
【請求項３】
前記第２対向面には、前記電極側面部の少なくとも一部と接触する側面接触部が形成されていることを特徴とする請求項１または２に記載の蓄電装置。
【請求項４】
前記第１部材及び前記第２部材の少なくとも一方には、前記第１部材及び前記第２部材を相互に位置決めする段差部が形成されていることを特徴とする請求項１〜３のいずれか１項に記載の蓄電装置。
【請求項５】
前記蓄電装置は二次電池であることを特徴とする請求項１〜４のいずれか１項に記載の蓄電装置。
【請求項６】
請求項１〜５のいずれか１項に記載の蓄電装置を搭載したことを特徴とする車両。
【発明の詳細な説明】
【技術分野】
【０００１】
本発明は、蓄電装置、及び蓄電装置を搭載した車両に関する。
【背景技術】
【０００２】
従来から、蓄電装置の一種である二次電池としては、例えばリチウムイオン二次電池やニッケル水素二次電池などがよく知られている。例えばリチウムイオン二次電池は、金属薄板の表面に活物質層を形成した正電極シート及び負電極シートが層状の構造をなす電極体を容器（ケース）に収容するとともに、電極体の縁部から延出形成された集電部と、容器の外部に突出する電極端子とを集電部材により電気的に接続した構成とされている（例えば、特許文献１）。
【０００３】
特許文献１では、蓋部材に固定された集電部材を割りピン状に形成して集電部を挟持するとともに、その先端をそれぞれＵ字型に折り返して拘止部を形成している。そして、特許文献１では、各拘止部を容器の内壁にそれぞれ絶縁性を保った状態で接触させることにより、容器内において電極体を固定している。
【０００４】
例えば車両への搭載時に加えられる振動などによって、電極体が容器内で揺動された場合には、集電部と集電部材との接続部分に負荷が集中し、当該接続部分が破損する可能性がある。しかしながら、特許文献１では、前述の構成を採用することにより、振動などによる電極体の揺動を抑制し、蓄電装置としての耐振動性を向上させている。
【先行技術文献】
【特許文献】
【０００５】
【特許文献１】特開２０００−１５０３０６号公報
【発明の概要】
【発明が解決しようとする課題】
【０００６】
しかしながら、特許文献１では、集電部材に形成した拘止部により電極体を容器内に固定するものである。このため、集電部材に拘止部（構造体）を形成する分だけ容器内にデッドスペースが生じることに伴って、蓄電装置としてのエネルギ密度が低下する虞がある。
【０００７】
この発明は、上記従来技術に存在する問題点に着目してなされたものであり、その目的は、電極体を容器内に固定して耐振動性を向上できるとともに、エネルギ密度が低下することを抑制できる蓄電装置、及び車両を提供することにある。
【課題を解決するための手段】
【０００８】
上記課題を解決するために、請求項１に記載の発明は、正電極シート及び負電極シートの間にシート状をなすセパレータを挟んだ状態で層状の構造をなす電極体を容器に収容した蓄電装置であって、前記正電極シートには、縁部から正電極リードが延出形成され、前記負電極シートには、前記正電極シートにおいて前記正電極リードが延出形成されているのと同一側の縁部から負電極リードが延出形成され、前記電極体には、前記電極体の層方向に直交する端面である第１端面と、前記第１端面とは反対側の端面である第２端面と、前記第１端面及び前記第２端面の間の側面である電極側面部と、前記正電極リードが積層された正極集電部と、前記負電極リードが積層された負極集電部とが形成され、前記容器は、第１部材と第２部材とを有し、前記第１部材は、少なくとも前記第１端面と対向する第１対向面と、前記正極集電部が電気的に接続される正電極端子と、前記負極集電部が電気的に接続される負電極端子と、を有し、前記第１対向面は、前記第１端面と接着されておらず、前記第２部材は、少なくとも前記第２端面と対向する第２対向面を有し、前記第２対向面には、前記第２端面が接着される接着面が形成され、前記第１部材と前記第２部材によって、前記電極体を収容する収容空間が形成されることを要旨とする。
【０００９】
これによれば、第１部材と第２部材とによって形成される収容空間に電極体を収容するとともに、容器を構成する第２部材のうち、電極体の層方向に直交する端面である第２端面と対向する第２対向面には、電極体の第２端面が接着される接着面が形成されている。このため、第２部材の第２対向面に形成された接着面と電極体の第２端面とを接着することにより、電極体を容器内に固定し、これにより耐振動性を向上できる。そして、電極体の第２端面と第２部材における接着面との接着により電極体を固定することから、従来のように、集電部材に電極体を固定するための構造体を形成する構成と比較して、容器内にデッドスペースが生じることを抑制できる。したがって、エネルギ密度が低下することを抑制できる。
【００１０】
請求項２に記載の発明は、請求項１に記載の蓄電装置であって、前記第１部材は、前記第１対向面の周縁部から前記第２部材側に突出して形成された側面部を有し、前記側面部は、前記第１対向面側と反対側に、前記第２部材と接触する端面である対向端面を有し、前記第１部材は、前記対向端面により開口部が形成され、前記第２部材は、前記第２対向面を含みかつ前記開口部を覆う蓋部を有し、かつ少なくとも前記接着面が平面状に形成されることを要旨とする。
【００１１】
これによれば、平面状をなす接着面において第２部材の蓋部と電極体とを接着して相互に固定するとともに、電極体を固定した第２部材を、蓋部により本体部材の開口部を覆うように組み付けることで、収容空間に電極体を収容させることができる。したがって、蓄電装置を簡便に形成することができる。
【００１２】
請求項３に記載の発明は、請求項１または２に記載の蓄電装置であって、前記第２対向面には、前記電極側面部の少なくとも一部と接触する側面接触部が形成されていることを要旨とする。
【００１３】
これによれば、第２対向面には電極側面部の少なくとも一部と接触する側面接触部が形成されていることから、当該側面接触部により第２部材に対する電極体の位置を位置決めできる。このため、相互に接着された第２部材及び電極体と、第１部材とを組み付けることにより、収容空間において電極体を適切な位置に固定することができる。
【００１４】
請求項４に記載の発明は、請求項１〜３のいずれか１項に記載の蓄電装置であって、前記第１部材及び前記第２部材の少なくとも一方には、前記第１部材及び前記第２部材を相互に位置決めする段差部が形成されていることを要旨とする。
【００１５】
これによれば、段差部によって第１部材及び第２部材が相互に位置決めされる。このため、相互に接着された第２部材及び電極体と、第１部材とを組み付けることにより、収容空間において電極体を適切な位置に固定することができる。
【００１６】
請求項５に記載の発明は、請求項１〜４のいずれか１項に記載の蓄電装置であって、前記蓄電装置は二次電池であることを要旨とする。これによれば、電極体を容器内に固定して二次電池としての耐振動性を向上できる。
【００１７】
請求項６に記載の発明は、車両において、請求項１〜５のいずれか１項に記載の蓄電装置を搭載したことを要旨とする。
これによれば、電極体を容器内に固定して蓄電装置としての耐振動性を向上できることから、振動による破損に伴って蓄電装置の交換頻度が高くなることを抑制できる。また、蓄電装置としてエネルギ密度が低下することを抑制できることから、蓄電装置の大型化に伴ってその設置部位に制約が生じたり、電気容量の低下に伴って充電サイクルが短くなったりすることを抑制できる。
【発明の効果】
【００１８】
本発明によれば、電極体を容器内に固定して耐振動性を向上できるとともに、エネルギ密度が低下することを抑制できる。
【図面の簡単な説明】
【００１９】
【図１】二次電池を模式的に示す斜視図。
【図２】分解した電極体を模式的に示す斜視図。
【図３】図１に示す二次電池のＡ−Ａ線断面図。
【図４】二次電池の製造方法を説明するための断面図。
【図５】別の実施形態における二次電池を模式的に示す断面図。
【図６】（ａ）及び（ｂ）は、別の実施形態における二次電池を模式的に示す断面図。
【図７】別の実施形態における二次電池を模式的に示す斜視図。
【図８】別の実施形態における分解した電極体を模式的に示す斜視図。
【発明を実施するための形態】
【００２０】
以下、本発明を具体化した一実施形態を図１〜図４にしたがって説明する。
図１に示すように、車両（例えば産業車両や乗用車両）に搭載される蓄電装置としての二次電池１０は、全体として扁平な略直方体状をなす容器（蓄電装置用容器）としてのケース１１を備えている。以下の説明では、矢印Ｙ１に示すケース１１の長手方向を左右方向と示し、矢印Ｙ２に示すケース１１の高さ方向を上下方向と示し、矢印Ｙ３に示すケース１１の短手方向を前後方向と示す。
【００２１】
ケース１１は、正面視で四角形（矩形）の平板状をなす壁部１２ａと、当該壁部１２ａを囲う４つの各縁部（周縁部）からそれぞれ前方へ直角に延出形成された４つの側面部としての壁部１２ｂとからなり、壁部１２ｂの壁部１２ａ側と反対側の対向端面（先端面）１２ｅにより全体として開口部１２ｃが形成された扁平四角箱状をなす第１部材としての本体部材１２を備えている。即ち本体部材１２は、上下方向又は左右方向の中央における断面形状が横倒し略Ｕ字型をなす箱状に形成されている。本体部材１２は、金属材料（例えばステンレスやアルミニウムなど）から形成されている。なお、本体部材１２において壁部１２ａと壁部１２ｂとの角部、及び壁部１２ｂ同士の角部には、角アールＲａが形成されている。
【００２２】
また、本体部材１２をなす壁部１２ｂのうち１つの壁部１２ｂ（本実施形態では上側に配置される壁部１２ｂ）には、当該壁部１２ｂを肉厚方向に貫通する略円柱状をなし、一端（先端）が壁部１２ｂの外側に突出する正電極端子１５、及び負電極端子１６が形成されている。本実施形態の正電極端子１５及び負電極端子１６は、金属材料からなるとともに、ケース１１（本体部材１２）からそれぞれ絶縁された状態で固定されている。
【００２３】
また、ケース１１は、本体部材１２に組み付けられ、本体部材１２の開口部１２ｃを覆って密閉（封止）する正面視で四角形（矩形）の平板状に形成された第２部材としての蓋部材１３を備えている。本実施形態では蓋部材１３の全体が蓋部として機能する。蓋部材１３は、金属材料（例えばステンレスやアルミニウムなど）から形成されている。また、内側面１３ａは、平坦な平面状をなしている。
【００２４】
また、蓋部材１３において本体部材１２と対向配置される内側面１３ａには、内側面１３ａの周縁部の全周にわたって部材位置決め部として機能する段差部１３ｂが形成されている。つまり、本実施形態では、本体部材１２の壁部１２ｂの、蓋部材１３と対向する対向端面（先端面）１２ｅにより開口部１２ｃが形成され、当該対向端面１２ｅと蓋部材１３における内側面１３ａが対向する。さらに、各壁部１２ｂは、蓋部材１３側に突出して形成されている。
【００２５】
そして、蓋部材１３及び本体部材１２は、この段差部１３ｂを本体部材１２の開口部１２ｃに挿入することにより相互に位置決めされている。さらに、本体部材１２と蓋部材１３とは、溶接（レーザ溶接など）により相互に接合されている。これにより、本体部材１２と蓋部材１３との間には、直方体状をなす収容空間Ｓａが形成されている。
【００２６】
そして、ケース１１内に形成される収容空間Ｓａには、シート状のセパレータ２３を間に挟んだ状態（介在させた状態）で、正電極シート２１及び負電極シート２２が層状の構造（積層構造）をなす電極体２５が収容（収納）されている。電極体２５は、全体として上下方向及び左右方向に扁平な直方体状（略直方体状）をなしている。
【００２７】
図２に示すように、正電極シート２１及び負電極シート２２は、四角形（矩形）のシート状をなす金属薄板（金属シート）としての金属箔２６を備えている。金属箔２６は、例えばリチウムイオン二次電池や、ニッケル水素二次電池というように、二次電池１０の種類に応じた金属により形成される。また、金属箔２６に用いられる金属は、正電極シート２１と、負電極シート２２とでも異なる。正電極シート２１の金属箔２６は、例えばアルミニウムからなる一方で、負電極シート２２の金属箔２６は、例えば銅からなる。
【００２８】
各金属箔２６の両面（前面及び後面）には、各金属箔２６の１辺となる上縁部２６ａから左右方向の全幅にわたって一定幅で設定された未塗工部としての非塗布領域２６ｂを除き、その全面に活物質が塗布され、活物質層２７が形成されている。即ち、非塗布領域２６ｂは、金属箔２６の上縁部２６ａに沿って延設されている。なお、金属箔２６には、二次電池１０の種類に応じた活物質が塗布される。また、金属箔２６に塗布される活物質は、正電極シート２１と、負電極シート２２とでも異なる。
【００２９】
各正電極シート２１の上縁部２６ａにおいて左右方向の中央より左側には、非塗布領域２６ｂを打ち抜き加工することにより、四角形（略四角形）をなす正電極リード２１ａが上方に向かって延出形成されている。また、各負電極シート２２の上縁部２６ａにおいて左右方向の中央より右側には、非塗布領域２６ｂを打ち抜き加工することにより、四角形（略四角形）をなす負電極リード２２ａが上方に向かって延出形成されている。このため、正電極リード２１ａ及び負電極リード２２ａは、表面に活物質層２７が形成されていない非形成部となる。また、セパレータ２３は、絶縁性を有する樹脂材料からなり、極めて微細な空孔構造をなす矩形の多孔性シートとされている。
【００３０】
そして、電極体２５は、正電極シート２１及び負電極シート２２の間にセパレータ２３を挟んだ状態で、正電極シート２１及び負電極シート２２を前後方向（厚さ方向）に積層して形成されている。詳しく言えば、電極体２５において、正電極シート２１及び負電極シート２２は、…→正電極シート２１→負電極シート２２→正電極シート２１…のように、交互に配置されている。本実施形態では、矢印Ｙ１に示す左右方向、及びＹ２に示す上下方向が正電極シート２１、負電極シート２２、及びセパレータ２３の面方向となり、矢印Ｙ３に示す前後方向が電極体２５（正電極シート２１及び負電極シート２２）の層方向（積層方向）となる。
【００３１】
本実施形態の電極体２５は、収容空間Ｓａにおいて図示しない絶縁性シート（絶縁性フィルム）からなる絶縁袋に収容されることにより、その層方向に拘束（固定）された状態とされている。本実施形態において絶縁袋は、電極体２５の一部をなしている。このため、電極体２５を構成する正電極シート２１及び負電極シート２２は、その面方向や、電極体２５の層方向に位置ズレしないようになっている。
【００３２】
そして、図１に示すように、電極体２５の上縁部において、左右方向の中央より左側には、正電極リード２１ａがセパレータ２３を間に挟まない状態で前記層方向に層状の構造をなす正極集電部２８が形成されている。また、電極体２５の上縁部において左右方向の中央より右側には、負電極リード２２ａがセパレータ２３を間に挟まない状態で前記層方向に層状の構造をなす負極集電部２９が形成されている。即ち、正極集電部２８及び負極集電部２９は、電極体２５の上縁部において、非塗布領域２６ｂの延設方向に沿って相互に離間した状態で、当該延設方向（左右方向）の中央（略中央）に形成されている。
【００３３】
電極体２５の上縁部に形成された正極集電部２８には、当該正極集電部２８を構成する各正電極リード２１ａが蓋部材１３側に寄せ集められた状態において、本体部材１２に向かって湾曲（屈曲）されることにより、湾曲部２８ａが形成されている。そして、正極集電部２８の先端側は、湾曲部２８ａから本体部材１２（壁部１２ａ）へ向かって延びることにより延出部２８ｂをなしている。
【００３４】
同様に、負極集電部２９には、当該負極集電部２９を構成する各負電極リード２２ａが蓋部材１３側に寄せ集められた状態において、本体部材１２に向かって湾曲（屈曲）されることにより湾曲部２９ａが形成されている。そして、負極集電部２９の先端側は、湾曲部２９ａから本体部材１２（壁部１２ａ）へ向かって延びることにより延出部２９ｂをなしている。
【００３５】
したがって、本実施形態において、正極集電部２８及び負極集電部２９の屈曲中心軸（折り曲げ中心軸）Ｐｋは、正極集電部２８及び負極集電部２９において、蓋部材１３側にそれぞれ設定される。本実施形態の正極集電部２８の屈曲中心軸Ｐｋ、及び負極集電部２９の屈曲中心軸Ｐｋは、同一軸線上に位置している。
【００３６】
延出部２８ｂのうち湾曲部２８ａ側には、四角形の平板状をなし電極体２５の上縁部に沿って配設された集電部材としての正極集電端子３０の一端（先端）が接続される接続部２８ｃが設けられている。延出部２８ｂ（正極集電部２８）は、この接続部２８ｃにおいて例えば超音波溶接や抵抗溶接（スポット溶接）などにより正極集電端子３０と接合され、電気的に接続されている。また、正極集電端子３０の他端（基端）は、正電極端子１５においてケース１１の収容空間Ｓａに突出する他端（基端）側に連結され、電気的に接続されている。
【００３７】
また、延出部２９ｂのうち湾曲部２９ａ側には、四角形の平板状をなし電極体２５の上縁部に沿って配設された集電部材としての負極集電端子３１の一端（他端）が接続される接続部２９ｃが設けられている。延出部２９ｂ（負極集電部２９）は、この接続部２９ｃにおいて例えば超音波溶接や抵抗溶接（スポット溶接）などにより負極集電端子３１と接合され、電気的に接続されている。また、負極集電端子３１の他端（基端）は、負電極端子１６においてケース１１の収容空間Ｓａに突出する他端（基端）側に連結され、電気的に接続されている。
【００３８】
そして、図３に示すように、電極体２５及び蓋部材１３は、電極体２５において蓋部材１３と対向配置される第２端面としての前面２５ａと、蓋部材１３において電極体２５と対向配置される第２対向面としての内側面１３ａと、を接着材としての接着剤３３によって前面２５ａの全面にわたって接着することにより、相互に固定されている。即ち、蓋部材１３は、電極体２５において層方向と直交する方向に沿って形成される前面２５ａが接着される接着面としての内側面１３ａを有する。したがって、本実施形態では、電極体２５がケース１１内（収容空間Ｓａ）において、蓋部材１３に対して移動不能に固定されている。電極体２５は、本体部材１２に形成された角アールＲａよりも正面視で内側に配置されている。
【００３９】
また、本体部材１２に蓋部材１３が固定された状態において、内側面１３ａ、前面２５ａ、後面２５ｂ、及び内側面１２ｄは、相互に平行（略平行）をなしている。電極体２５において層方向と直交する方向に沿って形成される前面２５ａの反対面となる第１端面としての後面２５ｂは、壁部１２ａのうち電極体２５（蓋部材１３）と対向配置される第１対向面としての内側面１２ｄに密着されている。なお、電極体２５において、前面２５ａ及び後面２５ｂの間には側面として電極側面部２５ｃが形成されている。
【００４０】
そして、ケース１１内には、例えばリチウムイオン二次電池や、ニッケル水素二次電池というように、二次電池１０の種類に応じた電解質（電解液）が充填されている。なお、前述した接着剤３３は、例えばポリフッ化ビニリデン（ＰＶＤＦ）、ポリテトラフルオロエチレン（ＰＴＦＥ）等のフッ素系ポリマー、スチレンブタジエンゴム（ＳＢＲ）等のゴム、ポリイミド等のイミド系ポリマー、アルコキシルシリル基含有樹脂、ポリアクリル酸、ポリメタクリル酸、ポリイタコン酸など、ケース１１に充填される電解質によって容易に分解しない接着剤が用いられている。
【００４１】
次に、上記のように構成した二次電池１０（ケース１１）の作用について説明する。
本実施形態では、本体部材１２及び蓋部材１３の間に形成される収容空間Ｓａに電極体２５を収容するとともに、電極体２５において層方向と直交する方向に沿って形成される前面２５ａと蓋部材１３の内側面１３ａとを接着することにより電極体２５をケース１１内に固定している。仮に、電極体２５がケース１１に固定されていない構成とした場合には、電極体２５が二次電池１０に加えられる振動などにより揺動されることで、正極集電部２８と正極集電端子３０との接続部分や、負極集電部２９と負極集電端子３１との接続部分に負荷（応力）が集中し、前記接続部分が破損する可能性がある。
【００４２】
しかしながら、本実施形態では、蓋部材１３と電極体２５とを接着により固定することで、電極体２５の揺動を抑制することができる。そして、電極体２５の前面２５ａと蓋部材１３の内側面１３ａとの接着により電極体２５を固定することから、従来のように、正極集電端子３０や負極集電端子３１に電極体２５を固定するための構造体を形成する構成と比較して、ケース１１内にデッドスペースが生じることを抑制している。
【００４３】
また、本実施形態では、蓋部材１３と電極体２５とを接着して相互に固定するとともに、電極体２５を固定した蓋部材１３を、本体部材１２の開口部１２ｃを覆うように組み付けることで、収容空間Ｓａに電極体２５を収容させることができる。また、蓋部材１３には、本体部材１２及び蓋部材１３を相互に位置決めする段差部１３ｂが形成されている。したがって、当該段差部１３ｂによって、本体部材１２及び蓋部材１３が相互に位置決めされる。このため、相互に接着された蓋部材１３及び電極体２５と、本体部材１２とを組み付けることにより、収容空間Ｓａにおいて電極体２５を適切な位置に固定することができる。
【００４４】
また、電極体２５の上縁部に形成される正極集電部２８には、湾曲部２８ａが形成されているとともに、この湾曲部２８ａからは、正極集電端子３０が電気的に接続される接続部２８ｃを含み、本体部材１２に向かって延びる延出部２８ｂが形成されている。負極集電部２９についても同様である。したがって、電極体２５の上縁部から、当該電極体２５を構成する正電極シート２１及び負電極シート２２の面方向に沿って正極集電部２８及び負極集電部２９を延出形成する構成と比較してケース１１内におけるデッドスペースを好適に削減できる。
【００４５】
次に、本実施形態の二次電池１０（ケース１１）の製造方法について説明する。
図４に示すように、セパレータ２３を間に挟んだ状態で正電極シート２１及び負電極シート２２を積層し、電極体２５を得る。次に、正極集電部２８における前面（蓋部材１３側面）に対応させて、かつ電極体２５における各電極シート２１，２２の面方向に沿って正極集電端子３０を配置する。そして、この正極集電端子３０に対して、正極集電部２８を構成する各正電極リード２１ａを寄せ集めつつ接続部２８ｃにおいて溶接することにより、正極集電部２８と正極集電端子３０とを接合し電気的に接続する。
【００４６】
同様に、負極集電部２９における前面（蓋部材１３側面）に対応させて、かつ電極体２５における各電極シート２１，２２の面方向に沿って負極集電端子３１を配置する。そして、この負極集電部２９に対して、負極集電部２９を構成する各負電極リード２２ａを寄せ集めつつ接続部２９ｃにおいて溶接することにより、負極集電部２９と負極集電端子３１とを接合し電気的に接続する。なお、この状態において、正極集電端子３０及び負極集電端子３１は、電極体２５における各電極シート２１，２２の面方向に沿って延在されており、湾曲部２８ａ及び湾曲部２９ａが形成されていない。
【００４７】
次に、電極体２５の前面２５ａと蓋部材１３の内側面１３ａと、を接着剤３３によって接着し、蓋部材１３及び電極体２５を相互に固定する。このとき、蓋部材１３に対する電極体２５の接着位置は、段差部１３ｂによって本体部材１２及び蓋部材１３が相互に位置決めされた状態において、電極体２５が収容空間Ｓａ（ケース１１）内において適切な位置となる位置に設定される。具体的に言えば、蓋部材１３に対する電極体２５の接着位置は、電極体２５が本体部材１２の角アールＲａに乗り上げない位置（接触しない位置）に設定されている。
【００４８】
そして、正極集電部２８における延出部２８ｂ及び負極集電部２９における延出部２９ｂの先端を本体部材１２（壁部１２ａ）に向けた状態で、正極集電端子３０、及び負極集電端子３１を本体部材１２に挿入するとともに、正極集電端子３０を正電極端子１５に連結し、負極集電端子３１を負電極端子１６に連結する。このとき、矢印Ｙ４に示すように、蓋部材１３において延出部２８ｂ，２９ｂの先端側に配置される縁部が壁部１２ｂに当接しないように、相互に固定された蓋部材１３及び電極体２５を本体部材１２側に回動させるとよい。
【００４９】
そして、相互に固定された蓋部材１３及び電極体２５を本体部材１２（壁部１２ａ）に向かって更に回動させることで、電極体２５、及び蓋部材１３の段差部１３ｂ（壁部１２ａ側に突出した領域）を本体部材１２の開口部１２ｃから挿入させ、本体部材１２及び蓋部材１３を相互に位置決めする。これにより、電極体２５は、収容空間Ｓａ（ケース１１）内において適切な位置に収容されるとともに、電極体２５の後面２５ｂは内側面１２ｄに面接触される。
【００５０】
このとき、相互に固定された蓋部材１３及び電極体２５の回動に伴って、各電極シート２１，２２の面方向に沿って延びる正極集電部２８及び負極集電部２９は、本体部材１２の壁部１２ａに平行な方向へ、屈曲中心軸Ｐｋまわりに屈曲され、これにより各湾曲部２８ａ，２９ａが形成される。
【００５１】
そして、本体部材１２及び蓋部材１３を相互に位置決めした状態において、本体部材１２及び蓋部材１３を例えばレーザ溶接などにより接合し、固定する。その後、収容空間Ｓａ（ケース１１）内に電解質（電解液）が充填されて二次電池１０が完成される。
【００５２】
したがって、本実施形態によれば、以下のような効果を得ることができる。
（１）本体部材１２と蓋部材１３とによって形成される収容空間Ｓａに電極体２５を収容するとともに、ケース１１を構成する蓋部材１３のうち、電極体２５の層方向に直交する端面である前面２５ａと対向する内側面１３ａは、電極体２５の前面２５ａが接着される接着面となる。このため、蓋部材１３の内側面１３ａと電極体２５の前面２５ａとを接着することにより電極体２５をケース１１内に固定し、これにより耐振動性を向上できる。そして、電極体２５の前面２５ａと蓋部材１３における内側面１３ａとの接着により電極体２５を固定することから、従来のように、正極集電端子３０や負極集電端子３１に電極体２５を固定するための構造体を形成する構成と比較して、ケース１１内にデッドスペースが生じることを抑制できる。したがって、エネルギ密度が低下することを抑制できる。
【００５３】
（２）平面状をなす内側面１３ａにおいて蓋部材１３と電極体２５とを接着して相互に固定するとともに、電極体２５を固定した蓋部材１３を、本体部材１２の開口部１２ｃを覆うように組み付けることで、収容空間Ｓａに電極体２５を収容させることができる。したがって、ケース１１（二次電池１０）を簡便に形成することができる。
【００５４】
（３）本体部材１２は、上下方向又は左右方向に沿った断面形状がＵ字型をなす箱状に形成されていることから、蓋部材１３との間に大きな収容空間Ｓａを形成し、電極体２５を収容しやすくできる。
【００５５】
（４）蓋部材１３に設けた段差部１３ｂによって本体部材１２及び蓋部材１３が相互に位置決めされる。このため、相互に接着された蓋部材１３及び電極体２５と、本体部材１２とを組み付けることにより、収容空間Ｓａにおいて電極体２５を適切な位置に固定することができる。
【００５６】
（５）電極体２５の縁部に形成される正極集電部２８には、湾曲部２８ａが形成されているとともに、この湾曲部２８ａからは、正極集電端子３０が電気的に接続される接続部２８ｃを含み、本体部材１２に向かって延びる延出部２８ｂが形成されている。負極集電部２９についても同様である。したがって、電極体２５の上縁部から各電極シート２１，２２の面方向に沿って正極集電部２８及び負極集電部２９を延出形成する構成と比較してケース１１内におけるデッドスペースを削減できる。
【００５７】
（６）電極体２５をケース１１内に固定することにより、二次電池１０としての耐振動性が高められる。また、エネルギ密度が低下することを抑制できることから、電気容量を維持するために二次電池１０として大型化したり、二次電池１０の大きさを維持するために電気容量が低下したりすることを抑制できる。
【００５８】
実施形態は前記に限定されるものではなく、例えば、次のように具体化してもよい。
○  図５に示すように、電極体２５は、本体部材１２の壁部１２ａにおける内側面１２ｄに対して接着されていてもよい。この場合、電極体２５において、正極集電部２８及び正極集電端子３０を接合するとともに、負極集電部２９及び負極集電端子３１を接合した後に、正極集電端子３０及び負極集電端子３１を本体部材１２に挿入しつつ、正極集電端子３０を正電極端子１５に連結し、負極集電端子３１を負電極端子１６に連結する。そして、電極体２５を本体部材１２（壁部１２ａ）側に回動させつつ開口部１２ｃから挿入するとともに、電極体２５の後面２５ｂと本体部材１２の内側面１２ｄと、を接着剤３３により後面２５ｂの全面にわたって接着する。この本体部材１２に対する電極体２５の接着位置は、電極体２５が本体部材１２の角アールＲａに乗り上げない位置（接触しない位置）に設定するとよい。
【００５９】
そして、蓋部材１３の段差部１３ｂを開口部１２ｃに挿入しつつ、蓋部材１３を本体部材１２に組み付けることにより、本体部材１２及び蓋部材１３を相互に位置決めする。その後、本体部材１２及び蓋部材１３を相互に位置決めした状態において、本体部材１２及び蓋部材１３を例えばレーザ溶接などにより接合し、固定する。このように構成しても、電極体２５をケース１１内に固定し、これにより耐振動性を向上できる。そして、正極集電端子３０や負極集電端子３１に電極体２５を固定するための構造体を形成する構成と比較して、ケース１１内にデッドスペースが生じることを抑制し、エネルギ密度が低下することを抑制できる。本別例においては、蓋部材１３が第１部材となり、本体部材１２が第２部材となり、内側面１２ｄが接着面となる。また、電極体２５の前面２５ａが第１端面となり、後面２５ｂが第２端面となる。
【００６０】
○  本体部材１２と蓋部材１３との部材位置決め部として、段差部１３ｂとしたが、一方を凹部、他方を凸部とすることにより位置決めをする構成も、段差部に含まれる。
○  第２対向面となる内側面１３ａには、電極体２５を位置決めするための電極位置決め部を形成してもよい。この電極位置決め部は、例えば図６（ａ）に示すように、内側面１３ａにおいて電極体２５の前面２５ａの周縁部に連続し、かつ後面２５ｂと連続する側面である電極側面部２５ｃと接触する側面接触部３６ａを有する凹部３６や、図６（ｂ）に示すように、電極側面部２５ｃを囲う正面視環状の壁部３７などにより形成することができる。この場合には、壁部３７の内側面が電極側面部２５ｃと接触する側面接触部３７ａとなる。なお、図６（ａ）及び図６（ｂ）は、二次電池１０における上下方向の中央で左右方向に切断した場合の断面を示している。電極位置決め部は、電極体２５が収容空間Ｓａに挿入された際に、当該電極体２５が収容空間Ｓａ内において適切な位置に配置される位置に設定される。これによれば、蓋部材１３の内側面１３ａに電極位置決め部が形成されていることから、当該電極位置決め部により蓋部材１３に対する電極体２５の位置を位置決めできる。このため、相互に接着された蓋部材１３及び電極体２５と、本体部材１２とを組み付けることにより、収容空間Ｓａにおいて電極体２５を適切な位置に固定することができる。
【００６１】
○  正電極端子１５及び負電極端子１６は、本体部材１２への挿入前に夫々正極集電端子３０及び負極集電端子３１と接続しておいて、その状態で本体部材１２に挿入してもよい。
【００６２】
○  図７及び図８に示すように、電極体２５は、正電極シート２１、負電極シート２２、及びセパレータ２３を帯状（長尺のシート状）に形成するとともに、セパレータ２３を間に挟んだ状態で、正電極シート２１及び負電極シート２２を渦まき状に捲回し、正電極シート２１及び負電極シート２２が層状の構造をなすように形成してもよい。
【００６３】
この場合、図８に示すように、正電極シート２１において矢印Ｙ１に示す幅方向（左右方向）の一方の縁部（本別例では左縁部）には、矢印Ｙ５に示す正電極シート２１の長さ方向に沿って延びるように非塗布領域２６ｂを形成し、幅方向の外側（左側）へ延出する正電極リード２１ａを設ける。その一方で、負電極シート２２において幅方向の他方の縁部（本別例では右縁部）には、負電極シート２２の長さ方向に沿って延びるように非塗布領域２６ｂを形成し、幅方向の外側（右側）へ延出する負電極リード２２ａを設ける。これにより、電極体２５の左縁部には、正電極リード２１ａが層状の構造をなす正極集電部２８が形成される。同様に、電極体２５の右縁部には、負電極リード２２ａが層状の構造をなす負極集電部２９が形成される。そして、正電極シート２１及び負電極シート２２を捲回した電極体２５をプレス加工することにより、上下方向及び左右方向に扁平な形状に形成するとよい。なお、本別例では、電極体２５の捲回軸線が延びる方向に直交し、かつ扁平面と直交する方向が層方向となる。
【００６４】
このように形成した場合に、図７に示すように、電極体２５の扁平面のうち蓋部材１３と対向配置される前面２５ａと蓋部材１３の内側面１３ａとを接着したり、電極体２５の扁平面のうち本体部材１２の壁部１２ａと対向する後面２５ｂと本体部材１２の内側面１２ｄとを接着したりするとよい。このように構成しても、電極体２５をケース１１内に固定し、これにより耐振動性を向上できる。そして、正極集電端子３０や負極集電端子３１に電極体２５を固定するための構造体を形成する構成と比較して、ケース１１内にデッドスペースが生じることを抑制し、エネルギ密度が低下することを抑制できる。
【００６５】
○  蓋部材１３の内側面１３ａと電極体２５とは、前面２５ａの一部において接着されていてもよい。
○  蓋部材１３及び電極体２５は、例えばポリエチレンからなる基材の両面に例えばアクリル系粘着材からなる粘着層を形成した接着材としての両面粘着シートを用いて接着してもよい。
【００６６】
○  電極体２５は、セパレータ２３を介在させて、正電極シート２１及び負電極シート２２を蛇腹状に折り曲げて積層してもよい。
○  金属箔板として金属箔２６としたが、二次電池１０における電気容量（電池容量）の低下や電池作製時に影響しない程度の厚みのある薄板であってもよい。
【００６７】
○  電極体２５を構成する正電極シート２１、及び負電極シート２２の数は適宜変更してもよい。例えば、正電極シート２１、及び負電極シート２２をそれぞれ１つ備えた電極体２５としてもよい。
【００６８】
○  ケース１１（本体部材１２）の形状は、円柱状や、左右方向に扁平な楕円柱状に形成してもよい。
○  上記実施形態の二次電池１０を車両（例えば産業車両や乗用車両など）に搭載し、車両に装備された発電機により充電する一方で、二次電池１０から供給する電力によりエアコン用のコンプレッサや、車輪を駆動するための電動モータ、或いはカーナビゲーションシステムなどの電装品を駆動してもよい。これによれば、電極体２５をケース１１内に固定して二次電池１０としての耐振動性を向上できることから、振動による破損に伴う二次電池１０の交換頻度が高くなることを抑制できる。また、二次電池１０としてエネルギ密度が低下することを抑制できることから、二次電池１０の大型化に伴って設置部位に制約が生じたり、電気容量の低下に伴って充電サイクルが短くなったりすることを抑制できる。
【００６９】
○  本発明は、蓄電装置としての電気二重層キャパシタとして具体化してもよい。
【符号の説明】
【００７０】
Ｓａ…収容空間、１０…二次電池（蓄電装置）、１１…ケース（容器）、１２…本体部材（第１部材、第２部材）、１２ｂ…壁部（側面部）、１２ｃ…開口部、１２ｄ…内側面（第１対向面、第２対向面、接着面）、１２ｅ…対向端面、１３…蓋部材（第１部材、第２部材、蓋部）、１３ａ…内側面（第１対向面、第２対向面、接着面）、１３ｂ…段差部、２１…正電極シート、２２…負電極シート、２３…セパレータ、２５…電極体、２５ａ…前面（第１端面、第２端面）、２５ｂ…後面（第１端面、第２端面）、２５ｃ…電極側面部、３６…凹部、３６ａ…側面接触部、３７…壁部、３７ａ…側面接触部。
【図１】
0005835034.tif 000002
【図２】
0005835034.tif 000003
【図３】
0005835034.tif 000004
【図４】
0005835034.tif 000005
【図５】
0005835034.tif 000006
【図６】
0005835034.tif 000007
【図７】
0005835034.tif 000008
【図８】
0005835034.tif 000009